(57)【特許請求の範囲】
【請求項１】
収納室７の前面開口を、扉８で開閉自在に閉塞する金属製のロッカーにおいて、該ロッカー収納室の底板６上へ、その底板とほぼ同一大きさに設けた平板12を有し、該平板の前端縁から前板13を垂下すると共に後端縁から止め板14を起立して、全体を金属メッキした金属製の補強板11を、前記前板13後面を収納室底板６の前面に接して、かつ止め板14と収納室後壁部分4aとの間に、止め板弾性変形代としての小間隙をおいて載置させ、又収納室底板６と平板12とを、両面テープ又は接着剤である接合手段で接合させたことを特徴とするロッカー。
【請求項２】
収納室７の前面開口を、扉８で開閉自在に閉塞する金属製のロッカーにおいて、該ロッカー収納室の底板６上へ、その底板とほぼ同一大きさに設けた平板12を有し、該平板の前端縁から前板13を垂下すると共に後端縁から止め板14を起立する、ステンレス製の補強板11を、前記前板後面を収納室底板６の前面に接して、かつ止め板14と収納室後壁部分4aとの間に、止め板弾性変形代としての小間隙をおいて載置させ、又収納室底板６と平板12とを、両面テープ又は接着剤である接合手段で接合させたことを特徴とするロッカー。
【請求項３】
上記小間隙内に適宜緩衝材15を嵌合させた
ことを特徴とする、請求項１又は請求項２記載のロッカー。
【発明の詳細な説明】
【０００１】
【発明の属する技術分野】
本発明は各種の物、特に相当重量を有する物を収納するためのロッカーに関する。
【０００２】
【従来の技術】
収納室の前面開口を、扉で開閉自在に閉塞する金属製のロッカーは従来広く用いられている。
【０００３】
【発明が解決しようとする課題】
例えばボーリング場に設けられている会員用ロッカー内には、約７キロ程度もある球体数箇を入れたバッグを毎日のように出入するから、ロッカー収納室の底板が球体等の重みにより変形したり、塗装が剥げたり、又収納室開口の下縁角部へ球体が当ることでその角部が凹んだり、収納室後壁部分に球体が当り変形する等して、通常半永久的に使用できる筈の耐用年数が約５ないし６年程度と極めて短かくなっている。
【０００４】
本発明はそのような金属製ロッカーの収納室底板を補強すると共に底板前面上縁の角部および収納室後壁部分の変形を防止して、ロッカー本来の耐用年数を使用し続けることが出来るようにすることを主目的とするものである。
【０００５】
第１の手段として、収納室７の前面開口を、扉８で開閉自在に閉塞する金属製のロッカーにおいて、該ロッカー収納室の底板６上へ、その底板とほぼ同一大きさに設けた平板12を有し、該平板の前端縁から前板13を垂下すると共に後端縁から止め板14を起立して、全体を金属メッキした金属製の補強板11を、前記前板13後面を収納室底板６の前面に接して、かつ止め板14と収納室後壁部分4aとの間に、止め板弾性変形代としての小間隙をおいて載置させ、又収納室底板６と平板12とを、両面テープ又は接着剤である接合手段で接合させた。
【０００６】
第２の手段として収納室７の前面開口を、扉８で開閉自在に閉塞する金属製のロッカーにおいて、該ロッカー収納室の底板６上へ、その底板とほぼ同一大きさに設けた平板12を有し、該平板の前端縁から前板13を垂下すると共に後端縁から止め板14を起立する、ステンレス製の補強板11を、前記前板後面を収納室底板６の前面に接して、かつ止め板14と収納室後壁部分4aとの間に、止め板弾性変形代としての小間隙をおいて載置させ、又収納室底板６と平板12とを、両面テープ又は接着剤である接合手段で接合させた。
【０００７】
第３の手段として、上記第１、又は第２の手段を有すると共に上記小間隙内に適宜緩衝材15を嵌合させた。
【０００８】
【発明の実施の形態】
以下図面について説明すると、１は縦長に設けた金属製のロッカーであり、底壁２と、左右側壁３と、後壁４と、頂壁５とで、前面だけ開口させ、又それ等底壁と頂壁との間を二枚の底板６で仕切って、同一大きさに設けた三個の収納室７を設け、各収納室の前面開口を、それぞれ扉８で開閉自在に閉塞している。尚ロッカー底壁２は最下位収納室の底板６を兼用している。
【０００９】
扉８の左右一方の側部と収納室の側板部分前縁とは通常行われているようにヒンジで連結して扉の開閉が自在とする。
【００１０】
上記各収納室７の底板６上へは、図３が示すような補強板11を接合させる。該補強板は、収納室の底板６とほぼ同一大きさに設けた平板12の前端縁から前板13を垂下すると共に、その後端縁からは止め板14を起立するもので、図４が示すように前板13の後面を底板６の前面に接して平板12を底板６の上面へ載置させると共に、収納室後壁部分4aとの間に、小間隙をおいて止め板14を位置させる。その小間隙は止め板14の弾性変形代として設けるもので、約５ミリ程度あればよい。該小間隙内へはゴム等の適宜緩衝材15を嵌合させてもよい。
【００１１】
前板13の上下方向の高さは図示例において約25ミリとし、止め板14の高さは約 100ミリとしている。ボーリング用球体入りのバッグ用収納室の止め板としては、その球体直径が約 215ミリ程度であるから、その止め板高さを約 100ミリから 150ミリとすることで上記球体が収納室後壁部分4aへ当ることを防ぐことが出来る。
【００１２】
既述底板６と平板12とは、金属溶接以外の簡易な手段で接合させる。例えば両面テープで接合させてもよく、又適宜接着剤で接合させてもよい。
【００１３】
上記補強板11は金属メッキした金属製とし、塗装の場合のように塗料が剥離することがないよう設ける。但し金属メッキに代えてステンレス製とすることも出来る。
【００１４】
【発明の効果】
本発明は上記構成とするもので、補強板11の前板13を収納室底板６の前面に接して、又止め板14を収納室後壁部分4aとの間に止め板の弾性変形代としての小間隙をおいて位置させ、その補強板の平板12を収納室底板６上へ載置させ、これ等を接合させたから、前板13はボーリング用球体等の重量のある収納物が底板前面上縁の角部を凹ませることを防止し、又止め板14は収納室後壁部分を後方へ凹ませるようなことがなく、平板12は底板６を補強して、その底板を下方へ変形させることがない。又金属メッキした金属製ないしステンレス製の補強板としたから、その補強板の剛性を高めることが出来て上記各効果をより一層高めることが出来、塗装の場合のようにその塗装が剥げることもなく、このようにしてロッカー本来の耐用年数を使用し続けることが出来る。
【００１５】
又上記補強板11と底板６との接合を、金属溶接以外の、両面テープ使用ないし接着剤使用という簡易な手段で行うから、ロッカーを輸送して使用現場へ設置した後に、各補強板を底板へ接合でき、よってロッカーの運搬は補強板を取付けない、軽量化した状態で行うことが出来る便利がある。
【００１６】
請求項３記載のように、止め板14と収納室後壁部分との小間隙内へ緩衝材を嵌合させることで、その後壁部分保護効果を更に高めることが出来る。
【図面の簡単な説明】
【図１】  本発明ロッカーの正面図である。
【図２】  ロッカーの側面図である。
【図３】  主要部材の斜視図である。
【図４】  ロッカー要部の拡大断面図である。
【符号の説明】
６…底板                  ７…収納室
８…扉                    11…補強板
12…平板                  13…前板
14…止め板
【図１】
0004298033.tif 000002
【図２】
0004298033.tif 000003
【図３】
0004298033.tif 000004
【図４】
0004298033.tif 000005